(57)【要約】      （修正有）【課題】エレメントの外れを抑制可能であり、縫い糸の切断を抑制可能なスライドファスナーを提供する。【解決手段】ファスナーテープ１のファスナー生地１１の両面に組み合わせられたエレメント１２、１２’を有する。スライダー２は２枚のファスナーテープ１の間に係合されている。スライダー２の上部案内板２１と下部案内板２２の一端は互いに揃っており、上部案内板２１の他端は下部案内板２２の他端より長く延び、エレメント１２、１２’の湾曲および噛合を許容する許容空間２６が形成される。許容空間２６によって、湾曲区間に加えられる係合張力が強すぎたりするとスライドファスナーが突然開いてしまうことを防止すると共に、スライダー２をスムーズに引くことができる。さらに、エレメント１２、１１２’の特殊構造によりスライダー２による縫い糸１３の切断を抑制可能である。【選択図】図１
0003179450.tif 000002
【実用新案登録請求の範囲】
【請求項１】
二層のエレメントを備えるナイロン製スライドファスナーであって、
２枚のファスナーテープと、２枚の前記ファスナーテープの間に係合された１つのスライダーと、を備え、
前記ファスナーテープは、ファスナー生地と、前記ファスナー生地の上面と下面の同じ側にそれぞれ設置された２列のエレメントと、前記エレメントを縫い合わせるための縫い糸と、を備え、
前記エレメントは、樹脂条材を連続して巻き付けてなる複数のコイルを有する長条体であり、各前記コイルは片側に互いに噛み合わせるための噛合部と、前記ファスナー生地に縫うための縫合部と、を備え、
前記ファスナー生地の上面にある前記エレメントの各前記縫合部は凹溝を有し、
前記ファスナー生地の下面にある前記エレメントの表面に各前記縫合部を覆う細長い布片が設けられ、
前記縫い糸で前記ファスナー生地の上面にある各前記コイルの凹溝を縫い通し、前記ファスナー生地の下面にある各前記コイルと前記細長い布片とを縫い通すことによって、前記エレメントを前記ファスナー生地の上面と下面に固定させ、
前記スライダーは、上部案内板と、下部案内板と、前記上部案内板と前記下部案内板との間に連結された仕切板と、前記上部案内板に形成された柱フックと、前記柱フックに取り付けられた引手と、を有し、
前記上部案内板および前記下部案内板の第１端は互いに揃えられ、
前記上部案内板の第２端は、前記下部案内板の第２端よりも長く延ばされ、前記エレメントの湾曲および噛合を許容する許容空間が形成されていることを特徴とするスライドファスナー。
【請求項２】
前記上部案内板の前記第２端と、前記下部案内板の前記第２端との斜め線は、垂直線との挟み角の角度が２０°〜３０°となるように設定されていることを特徴とする請求項１記載のスライドファスナー。
【請求項３】
前記スライダーの前記上部案内板の両側縁にはそれぞれ上保護板が形成され、
前記上保護板は、前記下部案内板方向に向かって延びていることを特徴とする請求項２記載のスライドファスナー。
【請求項４】
前記上保護板の隅角部は丸く形成されていることを特徴とする請求項３記載のスライドファスナー。
【請求項５】
前記スライダーの前記下部案内板の両側縁には下保護板が形成され、
前記下保護板は、前記上部案内板方向に向かって延びていることを特徴とする請求項１記載のスライドファスナー。
【請求項６】
前記下保護板の隅角部は丸く形成されていることを特徴とする請求項５記載のスライドファスナー。
【請求項７】
前記スライダーの前記上保護板には、錠を取り付けるための留めリングが形成されていることを特徴とする請求項１記載のスライドファスナー。
【請求項８】
前記縫い糸で前記細長い布片を締めつけることにより、前記縫い糸を前記細長い布片の表面に陥入させることを特徴とする請求項１記載のスライドファスナー。
【考案の詳細な説明】
【技術分野】
【０００１】
本考案は、スライドファスナーに関する。
【背景技術】
【０００２】
公知のスライドファスナーは単層のエレメントを備える。しかし、単層のエレメントは、ボールペンのペン先または棒の尖端等をエレメント間に刺すだけでエレメント同士の噛み合いが容易に外れる所謂刺し割れが生じるため、スーツケースに応用するときの盗難防止効果が低い。このような問題を解決するため、従来、二層のスライドファスナーが設計されている。特許文献１、特許文献２および特許文献３に開示されたスライドファスナーは、ファスナー生地の両面にエレメントを縫着することによって、刺し割れを防止可能であると共に盗難防止機能が高い。
【先行技術文献】
【特許文献】
【０００３】
【特許文献１】台湾実用新案登録第４４１２５７号明細書
【特許文献２】米国特許第８１３２３０３号明細書
【特許文献３】米国特許第７８９１０６１号明細書
【考案の概要】
【考案が解決しようとする課題】
【０００４】
しかしながら、特許文献１、特許文献２および特許文献３に開示された二層のエレメントを有するスライドファスナーのスライダーは、両端の長さが同じである。そのため、スライドファスナーをスーツケースまたはリュックサックのコーナー部に応用したときは、コーナー部の上層と下層とのエレメントの噛合角度が異なっているため、スライダーは両面にあるエレメントがコーナー部にて同時に噛合するための強い張力に対応することができない。また、コーナー部の上層と下層とにおけるスライダーの端部も互いに対応していないため、一方の層のエレメントは噛み合っているが他方の層のエレメントは突然開いた状態となる。
【０００５】
さらに、公知のコイル状エレメントは縫い糸でファスナー生地に固定されているため、縫い糸が各コイル状のエレメント上に露出していて、スライダーの内面が摩擦し易い。特にスーツケースまたはリュックサックのコーナー部にて、上向きに湾曲するエレメントによって、スライダーがエレメントの上層および下層の縫い糸に摩擦することをより生じ易くなり、スライドファスナーの縫い糸が断糸してしまい、スーツケースまたはリュックサックの寿命が低下する。
【０００６】
本考案の第１の目的は、スライダーがスムーズに湾曲箇所を通過することができ、噛み合わせる必要がある二層のエレメントが開いてしまうのを防止することができるスライドファスナーを提供することにある。
【０００７】
本考案の第２の目的は、エレメントの縫い糸とスライダーとの接触を避けることができ、縫い糸の断糸を抑制することができるスライドファスナーを提供することにある。
【課題を解決するための手段】
【０００８】
本考案は、二層のエレメントを備えるスライドファスナーであって、２枚のファスナーテープと、２枚のファスナーテープの間に係合された１つのスライダーと、を備える。ファスナーテープは、ファスナー生地と、ファスナー生地の上面と下面の同じ側にそれぞれ設置された２列のエレメントと、エレメントを縫い合わせるための縫い糸と、を備える。エレメントは、樹脂条材を連続して巻き付けてなる複数のコイルを有する長条体である。各コイルは、片側に互いに噛み合わせるための噛合部と、ファスナー生地に縫うための縫合部と、を備える。ファスナー生地の上面にあるエレメントの各縫合部は凹溝を有し、ファスナー生地の下面にあるエレメントの表面には各縫合部を覆うような細長い布片が設けられる。縫い糸でファスナー生地の上面にある各コイルの凹溝を縫い通して、ファスナー生地の下面にある各コイルと細長い布片を縫い通すことによって、エレメントをファスナー生地の上面と下面に固定させる。さらにスライダーは、上部案内板と、下部案内板と、上部案内板と下部案内板との間に連結された仕切板と、上部案内板に形成された柱フックと、柱フックに取り付けられた引手と、を有する。上部案内板と下部案内板の第１端は互いに揃っている。上部案内板の第２端は、下部案内板の第２端より長く延び、エレメントの湾曲および噛合を許容する許容空間が形成される。これにより、スライドファスナーが湾曲して係合するとき、上下に対応するエレメントを同時にしっかり噛み合わせることができる。
【０００９】
また、スライダーが有する、エレメントの湾曲および噛合を許容する許容空間によって、湾曲区間に加えられる係合張力が強すぎるときスライドファスナーが開いてしまうことを防止すると共に、いずれの区間においてもスライダーをスムーズに引くことができる。さらに、エレメントの特殊構造により、スライダーによるエレメント上の縫い糸が断糸するのを防止できる。
【考案の効果】
【００１０】
その結果、本考案のスライドファスナーをスーツケースやリュックサック等のものに縫い付けて応用することができ、スライダーがスーツケースまたはリュックサックのコーナー部を移動して通過するとき、エレメントの湾曲および噛合を許容する許容空間及び保護板が上に設けられ、下には丸い角が設けられた設計により、スライダーとエレメントとの相互干渉を防止できることから、スライダーをスムーズに引くことができるほか、２列のエレメントが突然開いた状態となることを防ぐ効果もある。さらに、本考案によれば、上面にあるエレメントの縫合部に凹溝が凹設されることにより、縫い糸を凹溝に植設させるようにし、そして下面にあるエレメントの縫合部に細長い布片が設けられることで、縫い糸を細長い布片に陥入させるようにする。従って、エレメントの縫い糸とスライダーとの接触を避けることができ、縫い糸の断糸防止効果が達成できる。また、下面にあるエレメントに細長い布片が設けられた構造により、スーツケースまたはリュックサックを縫製する際には、スライドファスナーの表裏面を容易に識別することができる。
【図面の簡単な説明】
【００１１】
【図１】本考案の一実施形態によるスライドファスナーの斜視図である。
【図２】本考案の一実施形態によるスライドファスナーのスライダーの第１斜視図である。
【図３】本考案の一実施形態によるスライドファスナーのスライダーの第２斜視図である。
【図４】本考案の一実施形態によるスライドファスナーのスライダーの側面図である。
【図５】本考案の一実施形態によるスライドファスナーのスライダーの上面図である。
【図６】本考案の一実施形態によるスライドファスナーのファスナーテープの正面図である。
【図７】本考案の一実施形態によるスライドファスナーのファスナーテープとスライダーの断面図である。
【図８】本考案の一実施形態によるスライドファスナーのファスナーテープの裏面図である。
【図９】本考案の一実施形態によるスライドファスナーのファスナーテープの断面図である。
【図１０】本考案の一実施形態によるスライドファスナーのスライダーの摺動状態を示す概略図である。
【図１１】本考案の一実施形態によるスライドファスナーの使用態様を示す概略図である。
【図１２】本考案の他の実施形態によるスライドファスナーの双引手の斜視図である。
【図１３】本考案の他の実施形態によるスライドファスナーの双引手の側面図である。
【考案を実施するための形態】
【００１２】
（一実施形態）
本考案の一実施形態によるスライドファスナーを図１に示す。スライドファスナーは、２枚のファスナーテープ１と、１つのスライダー２と、を備える。
【００１３】
図１に示すように、各ファスナーテープ１は、ファスナー生地１１と、ファスナー生地１１の上面と下面の同じ側縁にそれぞれ設置された２列のエレメント１２、１２’と、エレメント１２、１２’をファスナー生地１１に縫い合わせるための縫い糸１３と、を備えることによって、二層のエレメントが形成される。ファスナー生地１１は紡織布であってもよい。図６〜図９に示すように、エレメント１２、１２’は、樹脂条材を連続して巻き付けてなる複数のコイル１２１、１２１’を有する長条体である。エレメント１２、１２’は、ファスナー生地１１の方側に沿って延ばされている。各コイル１２１、１２１’は、片側には互いに噛み合わせるための噛合部１２２、１２２’と、ファスナー生地１１に縫うための縫合部１２３、１２３’と、を備える。また、図６および図７に示すように、ファスナー生地１１の上面にあるエレメント１２の各縫合部１２３に凹溝１２４が設けられている。また、図８および図９に示すように、ファスナー生地１１の下面にあるエレメント１２’の表面には各縫合部１２３’を覆うような細長い布片１２５が設けられている。そして、縫い糸１３でファスナー生地１１の上面にある各コイル１２１の凹溝１２４を縫い通して、ファスナー生地１１の下面にある各コイル１２１’と細長い布片１２５を縫い通すことによって、エレメント１２、１２’をそれぞれファスナー生地１１の上面と下面に固定させるようになっている。
【００１４】
図２〜図５に示すように、スライダー２は、一体成形した摺動具であり、２枚のファスナーテープ１の間に係合されており、スライダー２は、上部案内板２１と、下部案内板２２と、上部案内板２１と下部案内板２２との間に連結された仕切板２３と、上部案内板２１に形成された柱フック２４と、柱フック２４に取り付けられた引手２５と、を有する。上部案内板２１と下部案内板２２の第１端２１１、２２１は互いに揃っていて、かつ仕切板２３は第１端２１１、２２１の間に連結されている。また、上部案内板２１と反対する他端である第２端２１２は、下部案内板２２と反対する他端である第２端２２２より長く延ばして、下部案内板２２の第２端２２２にて、エレメントの湾曲および噛合を許容する許容空間２６が形成される。図４に示すように、上部案内板２１の第２端２１２と下部案内板２２の第２端２２２の斜め線Ａと垂直線Ｂとの挟み角θの角度が２０°〜３０°に設定されている。こうした構成によれば、より好適なエレメントの湾曲および噛合を許容する許容空間２６が形成される。さらに、上部案内板２１の両側縁にはそれぞれ上保護板２１３が形成され、上保護板２１３を下部案内板２２方向に向かって延ばしていて、かつ上保護板２１３の隅角部は上丸い角２１４に形成されている。さらに、下部案内板２２の両側縁にはそれぞれ下保護板２２３が形成され、下保護板２２３を上部案内板２１方向に向かって延ばしていて、かつ下保護板２２３の隅角部も同様に下丸い角２２４に形成されている。
【００１５】
前述した２枚のファスナーテープ１および１つのスライダー２によれば、図１に示すように、本考案の二層のエレメントを備える樹脂製スライドファスナーが構成される。さらに、図９に示すように、特にスーツケース１０やリュックサック等の盗難防止を必要とするものに好適に応用することができ、ファスナー生地１１の両面ともにエレメント１２、１２’が設けられた二層構造によれば、泥棒がエレメント１２、１２’の間に刺すことで開けてしまうことを防止する機能が発揮される。
【００１６】
引き続き、図２〜図５に示すように、使用者が錠を配設するために、スライダー２をスーツケース１０またはリュックサックの所定場所に固定するか、またはスライダー２を同じスライドファスナーに備える他のスライダーに固定して置けば、スライダー２を引いてスーツケース１０またはリュックサックが任意に開放されることを防止できるように、スライダー２の上部案内板２１には錠を取り付けるための留めリング２７が設けられている。
【００１７】
エレメント１２、１２’を縫い合わせるための縫い糸１３とスライダー２との摩擦の発生を防止するため、図６および図７に示すように、本実施形態は、上面にあるエレメント１２の縫合部１２３に凹溝１２４が設けられ、縫い糸１３が凹溝１２４を通じてファスナー生地１１に縫着する場合、縫い糸１３はスライダー２による断糸を避けることができる。図８および図９に示すように、本実施形態は、下面にあるエレメント１２’の縫合部１２３’に細長い布片１２５が設けられ、縫い糸１３が細長い布片１２５に縫着する場合、縫い糸１３で細長い布片１２５を締めつけることで、縫い糸１３を細長い布片１２５の表面に陥入させることによって、縫い糸１３はスライダー２による断糸を避けることもできる。しかも細長い布片１２５により、スライドファスナーの表裏面を識別することができる。
【００１８】
図１０および図１１に示すように、本実施形態を使用する場合において、スーツケース１０やリュックサック等のものに縫い付けて応用することができ、スライダー２がスーツケース１０またはリュックサックのコーナー部を摺動して通過するときに、下部案内板２２の一端に形成されたエレメントの湾曲および噛合を許容する許容空間２６及び下丸い角２２４の構造設計により、スライダー２とエレメント１２との相互干渉を防止できることから、両側のエレメントをスムーズに噛み合わせることができるほか、２列のエレメント１２、１２’が突然破れ開かれることを防止する効果がある。
【００１９】
（他の実施形態）
本発明の他の実施形態では、図１２および図１３に示すように、テントに縫い付けて応用するため、スライダー２は、双引手のスライダー２として構成されるように、表・裏面ともに柱フック２４と、引手２５とも設けられており、テント内からも外からもスライダー２を引くことができる。
【符号の説明】
【００２０】
１・・・ファスナーテープ
１１・・・ファスナー生地
１２、１２’・・・エレメント
１２１、１２１’・・・コイル
１２２、１２２’・・・噛合部
１２３、１２３’・・・縫合部
１２４・・・凹溝
１２５・・・細長い布片
１３・・・縫い糸
２・・・スライダー
２１・・上部案内板
２１１、２２１・・・第１端
２１２、２２２・・・第２端
２１３・・・上保護板
２１４・・・上丸い角
２２・・・下部案内板
２２３・・・下保護板
２２４・・・下丸い角
２３・・・仕切板
２４・・・柱フック
２５・・・引手
２６・・・許容空間
２７・・・留めリング
Ａ・・・斜め線
Ｂ・・・垂直線
θ・・・挟み角
１０・・・スーツケース
【図１】
0003179450.tif 000003
【図２】
0003179450.tif 000004
【図３】
0003179450.tif 000005
【図４】
0003179450.tif 000006
【図５】
0003179450.tif 000007
【図６】
0003179450.tif 000008
【図７】
0003179450.tif 000009
【図８】
0003179450.tif 000010
【図９】
0003179450.tif 000011
【図１０】
0003179450.tif 000012
【図１１】
0003179450.tif 000013
【図１２】
0003179450.tif 000014
【図１３】
0003179450.tif 000015